(57)【要約】【課題】アンテナの端末本体に対する固定の安定化、さらには、電気的接続の信頼性の向上を図りつつ、ユーザにてアンテナ着脱が容易な構成とすること。【解決手段】電子機器に挿抜可能に収納される電波の送受信を行うアンテナと、電子機器の基板と接続し当該電子機器内部に固定装備されアンテナと電気的に接続される接続部と、を備えている。そして、アンテナは、電子機器に対する収納時に当該電子機器から突出した部分の所定箇所に形成されたつまみ部と、電子機器に収納される部分であってつまみ部の近辺に位置しアンテナから送受信される送受信信号を導通可能なねじ部と、を備えている。さらに、接続部は、アンテナのねじ部に螺合可能な被ねじ部を備えた、という構成を採っている。【選択図】図１
2008193446.tif 000002
【特許請求の範囲】
【請求項１】
電子機器に挿抜可能に収納される電波の送受信を行うアンテナと、前記電子機器の基板と接続し当該電子機器内部に固定装備され前記アンテナと電気的に接続される接続部と、を備えたアンテナ取り付け構造であって、
前記アンテナは、前記電子機器に対する収納時に当該電子機器から突出した部分の所定箇所に形成されたつまみ部と、前記電子機器に収納される部分であって前記つまみ部の近辺に位置しアンテナから送受信される送受信信号を導通可能なねじ部と、を備えると共に、
前記接続部は、前記アンテナのねじ部に螺合可能な被ねじ部を備えた、
ことを特徴とするアンテナ取り付け構造。
【請求項２】
前記つまみ部と前記ねじ部とを隣接して設けると共に、
前記被ねじ部を、前記電子機器のアンテナ収納口付近に形成した、
ことを特徴とする請求項１記載のアンテナ取り付け構造。
【請求項３】
前記つまみ部と前記ねじ部とを一体的に形成した、
ことを特徴とする請求項２記載のアンテナ取り付け構造。
【請求項４】
前記ねじ部は、前記アンテナ自体の外周に形成された雄ねじ部を有し、
前記被ねじ部は、前記アンテナが挿通し前記雄ねじ部が螺合する雌ねじ部を有する、
ことを特徴とする請求項１，２又は３記載のアンテナ取り付け構造。
【請求項５】
前記つまみ部は、アンテナの他の部分よりも太く形成されている、
ことを特徴とする請求項１，２，３又は４記載のアンテナ取り付け構造。
【請求項６】
前記アンテナがペンとして機能するよう、当該アンテナの前記つまみ部形成側とは反対側の端部に、ペン先部を形成した、
ことを特徴とする請求項１，２，３，４又は５記載のアンテナ取り付け構造。
【請求項７】
前記ペン先部は、前記電子機器に装備されたタッチパネルに接触することで所定の情報を入力可能なスタイラスペンとして機能する先端部を有する、
ことを特徴とする請求項６記載のアンテナ取り付け構造。
【請求項８】
電子機器に挿抜可能に収納される電波の送受信を行うアンテナであって、
前記電子機器に対する収納時に当該電子機器から突出した部分の所定箇所に形成されたつまみ部と、前記電子機器に収納される部分であって前記つまみ部の近辺に位置しアンテナから送受信される送受信信号を導通可能なねじ部と、を備え、
このねじ部は、前記電子機器の基板と接続し当該電子機器内部に固定装備され被ねじ部が形成された接続部に、前記アンテナを電気的に接続するよう螺合される、
ことを特徴とするアンテナ。
【請求項９】
請求項１乃至７記載のアンテナ取り付け構造を備えたことを特徴とする電子機器。
【請求項１０】
携帯電話機である、ことを特徴とする請求項９記載の電子機器。
【発明の詳細な説明】
【技術分野】
【０００１】
本発明は、電子機器に装備されるアンテナにかかり、特に、その取り付け構造に特徴を有するアンテナに関する。
【背景技術】
【０００２】
携帯電話などの通信端末に装備されたロッドアンテナは、一般的にはロッドアンテナの接点金具を専用冶具にて本体側にネジ締めするよう構成されている。これは、従来はユーザから、専用冶具を用いずにロッドアンテナを着脱するという要求がなかったため、ロッドアンテナの電気的な接続を確保する点を重点においた構造となっていた。これにより、ユーザが素手で安易に着脱することを防止し、アンテナの紛失等を防ぎ、また、アンテナを確実に固定及び接続させつつ、製造業者等による組み立て性および保守性を確保していた。
【０００３】
一方で、上述したロッドアンテナを、デザイン性の高いものに変更するという要求もユーザからあり、アンテナの着脱を容易にしたアンテナ取り付け構造が特許文献１に開示されている。この文献では、携帯電話機本体から突出されるアンテナの先端部分につまみ部を形成すると共に、携帯電話機本体に挿入されている他端部分に取り付け用のねじ部を形成した構成を採っている。
【０００４】
また、近年では、携帯電話などの情報処理端末にタッチパネルが採用されている場合があり、かかる場合には、スタイラスペンを用いてタッチパネルから情報入力を行う方法が採られている。そして、下記特許文献２には、携帯電話機の小型化を図るべく、上記タッチパネル用のスタイラスペンとロッドアンテナとを一体化させる構成が開示されている。このような一体化されたペン兼用アンテナは、ペンとしての利用を考慮し、携帯電話機本体に対する着脱容易性を優先させ、スライドさせて着脱する方式を取っている。
【０００５】
【特許文献１】登録実用新案第３０５４０７５号公報
【特許文献２】特開２００６−１２９４０４号公報
【発明の開示】
【発明が解決しようとする課題】
【０００６】
しかしながら、上記従来技術におけるアンテナ取り付け構造では、以下のような不都合があった。まず、上記特許文献１に開示の技術では、携帯電話機本体側に接触及び固定されるねじ部分と、このねじ部分をねじ締めする際にユーザがアンテナを回転させて操作するつまみ部分とが、アンテナの両端にそれぞれ位置しているため、取り付け時の操作性が悪く、また、アンテナの強度によっては取り付け時に変形が生じる可能性がある。さらには、スタイラスペンを一体化させることを希望しても、タッチパネルへの入力部分となりうる先端部分にねじが形成されているため、かかる構成とすることは困難である。
【０００７】
また、上記特許文献２に開示のスタイラスペンとアンテナを一体化させた構成では、ペン兼用アンテナをスライドさせて着脱する方式を取っているため、携帯電話機に対してアンテナが固定された状態とはなっておらず、当該アンテナを不意に紛失してしまう可能性が生じうる。また、スライド着脱方式では、アンテナの接点を接圧方式にしなければならないため、接続の確実性や安定性が低下しうる。さらには、アンテナ側の接点端子がむき出しになり、また、ペンとして利用される際にユーザが直接握るため、端子表面への皮脂や水滴の付着などが起こり、接続不良が発生しうる、という問題も生じうる。
【０００８】
このため、本発明では、上記従来例の有する不都合を改善し、特に、端末本体に対する固定の安定化、さらには、電気的接続の信頼性の向上を図りつつ、ユーザにてアンテナ着脱が容易なよう構成されたアンテナ取り付け構造を提供することをその目的とする。
【課題を解決するための手段】
【０００９】
そこで、本発明の一形態であるアンテナ取り付け構造は、まず、電子機器に挿抜可能に収納される電波の送受信を行うアンテナと、電子機器の基板と接続し当該電子機器内部に固定装備されアンテナと電気的に接続される接続部と、を備えている。そして、アンテナは、電子機器に対する収納時に当該電子機器から突出した部分の所定箇所に形成されたつまみ部と、電子機器に収納される部分であってつまみ部の近辺に位置しアンテナから送受信される送受信信号を導通可能なねじ部と、を備えている。さらに、接続部は、アンテナのねじ部に螺合可能な被ねじ部を備えた、という構成を採っている。
【００１０】
上記発明によると、ユーザは、アンテナのつまみ部をつまんで回転させることで、近辺に位置して形成されたねじ部を、電子機器内部に設けられた接続部である被ねじ部に螺合させて固定する、あるいは、被ねじ部から取り外すことができる。これにより、アンテナを電子機器にねじ締めにより固定することができると共に、このねじ締め部分にてアンテナが基板に電気的に接続される。従って、ユーザはアンテナを容易に着脱できると共に、アンテナが電子機器に安定して固定され、さらには、ねじ締めによる確実な電気的接続も実現される。
【００１１】
また、上記アンテナ取り付け構造は、つまみ部とねじ部とを隣接して設けると共に、被ねじ部を、電子機器のアンテナ収納口付近に形成した、ことを特徴としている。さらに、つまみ部とねじ部とを一体的に形成した、ことを特徴としている。
【００１２】
これにより、ねじ締めを行うために回転させるつまみ部に、ねじ締め作用箇所となるねじ部が近接して位置しているため、ユーザによる着脱作業が容易となると共に、作業の確実性の向上を図ることができる。また、つまみ部とねじ部とを一体的に形成することで、かかる部分の剛性が向上し、着脱作業の安定化を図ることができる。
【００１３】
また、ねじ部は、アンテナ自体の外周に形成された雄ねじ部を有し、被ねじ部は、アンテナが挿通し雄ねじ部が螺合する雌ねじ部を有する、ことを特徴としている。これにより、電子機器の収納箇所に挿入した／挿入されたアンテナを回転することで、容易にアンテナを着脱することができると共に、収納時には、上述したように安定して固定でき、さらには、電気的接続の信頼性の向上を図ることができる。
【００１４】
また、つまみ部は、アンテナの他の部分よりも太く形成されている、ことを特徴としている。これにより、つまみ部が太く形成されているため、ユーザにとってつまみ易く、アンテナの着脱作業が容易となる。
【００１５】
また、アンテナがペンとして機能するよう、当該アンテナのつまみ部形成側とは反対側の端部に、ペン先部を形成した、ことを特徴としている。そして、ペン先部は、電子機器に装備されたタッチパネルに接触することで所定の情報を入力可能なスタイラスペンとして機能する先端部を有する、ことを特徴としている。
【００１６】
これにより、アンテナと、スタイラスペンあるいは通常のペンとを、一体化することができ、電子機器への収納スペースの節約、さらには、電子機器の小型化を図ることができる。また、上述したように着脱が容易であるため、ユーザにとってペンやスタイラスとしての利用が容易となり、利便性の向上を図ることができる。
【００１７】
また、本発明の他の形態は、電子機器に挿抜可能に収納される電波の送受信を行うアンテナであって、電子機器に対する収納時に当該電子機器から突出した部分の所定箇所に形成されたつまみ部と、電子機器に収納される部分であってつまみ部の近辺に位置しアンテナから送受信される送受信信号を導通可能なねじ部と、を備え、このねじ部は、電子機器の基板と接続し当該電子機器内部に固定装備され被ねじ部が形成された接続部に、アンテナを電気的に接続するよう螺合される、という構成を採っている。
【００１８】
そして、上述した本発明のアンテナ取り付け構造は、携帯電話機などの電子機器に搭載することが可能である。
【発明の効果】
【００１９】
本発明は、以上のように構成され機能するので、これによると、ユーザはアンテナを容易に着脱でき、アンテナの交換やペン一体型アンテナの使用など、ユーザの利便性の向上を図ることができる。さらに、収納時においては、アンテナは電子機器に安定して固定され、かつ、ねじ締めによって確実な電気的接続を実現することができ、不意な紛失を抑制できると共に、アンテナとしての機能がより確実に発揮されうる、という従来にない優れた効果を有する。
【発明を実施するための最良の形態】
【００２０】
本発明は、主に携帯電話機に搭載されるロッドアンテナを容易に着脱可能とすると共に、携帯電話機への収納時には、確実に固定され接続されるよう構成したことに特徴を有する。以下、実施例では、携帯電話機に装備される無線通信用のアンテナの取り付け構造を一例に挙げて説明する。但し、アンテナは、放送電波を受信するためのアンテナであってもよく、また、いかなる電子機器に装備されるアンテナであってもよい。
【００２１】
また、実施例１では、アンテナとスタイラスペンが一体化構造となっている構成を例に挙げて説明し、実施例２では、アンテナ単体の構造となっている場合を説明する。
【実施例１】
【００２２】
本発明の第１の実施例を、図１乃至図７を参照して説明する。図１乃至図４は、携帯電話機の外観を示す図であり、図５乃至図７は、アンテナ構造部分の断面図を示す。
【００２３】
［構成］
図１は、本発明であるアンテナ取り付け構造を備えた携帯電話機１００の外観を示す斜視図である。本実施例における携帯電話機１００は、特に、ディスプレイがタッチパネル１０にて形成されており、スタイラスペンや指による押下入力を受け付けることが可能なよう構成されている。
【００２４】
また、図２に示すように、携帯電話機１００の上側端面（図２では、右上部分）には、携帯電話機１００の側面に沿って、縦方向に内部に延びる長穴形状のアンテナ収納部Ｈが形成されている。そして、このアンテナ収納部Ｈには、アンテナが収納されるが、本実施例では、図２に示すように、ペン一体型ロッドアンテナ１（アンテナ）が収納される。このペン一体型ロッドアンテナ１は、長棒形状であり、電波の送受信を行うアンテナと、タッチパネル入力用のスタイラスペンとが、一体となって形成されたものである。なお、ペン一体型ロッドアンテナ１は、全体的に、アンテナから送受信される送受信信号を導通可能なよう導電性部材にて形成されている。
【００２５】
具体的に、ペン一体型ロッドアンテナ１は、まず、基本的には、円筒状のペン本体部１５と、その内部に収納されスライドして挿抜されるロッドアンテナ１４と、により構成されている。そして、ペン本体部１５の先端部分、つまり、アンテナ収納部Ｈに収納される端部（ペン先部（先端部））は、先端が尖っているものの、丸みを帯びて形成されており、タッチパネル１０に接触させて所定の情報を入力するスタイラスペンとして使用可能である。
【００２６】
また、ペン本体部１５の上端部分には、当該ペン本体部１５よりも径が太いつまみ部１２が形成されている。このつまみ部１２の外側面には、複数の溝が形成されており、ユーザが指でつまんで回転させた場合に滑り止めとして機能する。なお、このつまみ部１２は、図１や図３に示すように、ペン一体型ロッドアンテナ１がアンテナ収納部Ｈに収納された場合であっても、当該収納部Ｈ内に収納されず、携帯電話機１００から突出した部分に位置するよう形成されている。つまり、ペン一体型ロッドアンテナ１の上端側に位置して形成されている。
【００２７】
また、ペン本体部１５のつまみ部１２の下方側には、当該つまみ部１２に隣接して、外周面が雄ねじで形成されたねじ部１３が形成されている。このねじ部１３は、具体的には、ペン一体型ロッドアンテナ１がアンテナ収納部Ｈに収納された場合に、当該アンテナ収納部Ｈの収納口付近に位置するよう形成されている。そして、ペン本体部１５は１つの部材にて形成されているため、ねじ部１３とつまみ部１２とは一体的に形成されている。
【００２８】
また、上記円筒状のペン本体部１５に挿抜可能なよう収容されているロッドアンテナ１４は、その先端部にアンテナヘッド１１が形成され、常時、ペン本体部１５から突出した状態となっている。そして、このアンテナロッド１１が引っ張り出されることで、図３に示すように、ロッドアンテナ１４自体がペン本体部１５から抜き出され、他端部側がペン本体部１５の上端部つまりつまみ部１２付近で係止される。
【００２９】
続いて、図４には携帯電話機１００の正面図を示すが、この図におけるＡ−Ａ線断面図である図５，６，７を参照して、上述した携帯電話機１００内部の構成を説明する。なお、図６は、Ａ−Ａ線断面図において、ペン一体型ロッドアンテナ１を取り外した携帯電話機１００本体側の構成を示している。また、図７は、Ａ−Ａ線断面図において、ペン一体型ロッドアンテナ１を挿入しているときの様子を示している。
【００３０】
図６に示すように、携帯電話機１００は、筐体２内部に種々の電気回路が搭載された基板４を備えている。また、上述したアンテナ収納部Ｈの収納口は、円形状の穴であり、ペン一体型ロッドアンテナ１のねじ部１３が挿通可能なようやや大きい径にて形成されており、つまみ部１２よりも小さい径にて形成されている（図５参照）。そして、この挿入口のすぐ内部側には、上記ねじ部１３の雄ねじが螺合される雌ねじ部３１が内側面に形成されたナット３（被ねじ部（接続部））が固定装備されている。このナット３は、例えば金属性インサートナットや六角ナットなど電気的導通がとれるもので形成されており、筐体２に固定されている。さらに、ナット３は、上述した基板４に搭載された無線通信回路などと接点４１を介して接続されている。
【００３１】
なお、ペン一体型ロッドアンテナ１の内部構成は、一般の携帯電話機に装備されているロッドアンテナと基本的な構成は同一であり、また、携帯電話機１００の内部構成も一般的な携帯電話機と同一であるため、その詳細な説明は省略する。
【００３２】
［動作］
次に、上記構成の携帯電話機１００におけるペン一体型ロッドアンテナ１の取り付け時及び取り外し時の動作、及び、当該アンテナの使用時の動作を説明する。
【００３３】
まず、図２に示すように、ペン一体型ロッドアンテナ１を携帯電話機１００のアンテナ収納部Ｈに収納する場合には、ペン一体型ロッドアンテナ１をアンテナ収納部Ｈの収納口にペン先部１６から挿入する。そして、図７の矢印Ｙ１に示すように、ペン一体型ロッドアンテナ１の大部分を挿入させていくと、ねじ部１３が収納口付近、つまり、ナット３の位置で係止されるため、つまみ部１２を指でつまんで回転させることで、図５に示すように、ねじ部１３をナット３にねじ止めすることができる。このとき、ユーザによる操作箇所となるつまみ部１２に、ねじ締め作用箇所となるねじ部１３が近接して位置しているため、ユーザによるねじ締め作業（取り付け作業）が容易となると共に、作業を確実に行うことができる。また、つまみ部１２とねじ部１３とが一体的に形成されているため、かかる部分の剛性が向上し、ねじ締め作業が安定しうる。
【００３４】
そして、上述したようにペン一体型ロッドアンテナ１を挿入すると、図１に示すように、つまみ部１２とアンテナヘッド１１のみが突出し、ペン一体型ロッドアンテナ１のペン先側の大部分が携帯電話機１００内部に収納される。そして、携帯電話通話時には、アンテナヘッド１１を上方に引っ張り出すことで、図３に示すように、ロッドアンテナ１４が伸び、通信感度を向上させることができる。このとき、ペン一体型ロッドアンテナ１は、携帯電話機１００にねじ締めにて固定されているため、当該携帯電話機１００に安定して固定され、不意にアンテナが外れて紛失してしまうことを防ぐことができる。さらには、かかるねじ締め箇所にて、確実な電気的接続も実現される。
【００３５】
そして、ユーザが、携帯電話機１００のタッチパネル１０をスタイラスペンで操作する場合には、ペン一体型ロッドアンテナ１のつまみ部１２をつまんで、上述とは逆に回転させて、ねじ部１３のナット３に対するねじ締めを解除させる。そして、上方にスライドさせることで、図２に示すように、アンテナ収納部Ｈから取り出すことができる。その後、ユーザは、ペン先部１６をタッチパネル１０に接触させることで、種々の情報を入力することができる。
【００３６】
なお、上記では、ペン一体型ロッドアンテナ１は、スタイラスペンとして機能するよう構成されている場合を例示したが、ペン先部１６にボールペンやサインペンのペン先構造を搭載したり、鉛筆の芯を装備して、紙に文字が書けるよう構成してもよい。一方、ペン一体型アンテナ１にペン先部１６を形成せずに、ペン一体化ではなく、単にアンテナとして機能する構成にしてもよい。
【産業上の利用可能性】
【００３７】
本発明は、無線通信を行うためのアンテナとして、携帯電話などに搭載することが可能であり、産業上の利用可能性を有する。
【図面の簡単な説明】
【００３８】
【図１】携帯電話機の外観を示す斜視図である。
【図２】携帯電話機の外観を示す斜視図であり、アンテナを取り外したときの様子を示す。
【図３】携帯電話機の外観を示す斜視図であり、ロッドアンテナを伸ばしたときの様子を示す。
【図４】携帯電話機の外観を示す正面図である。
【図５】図４に示す携帯電話機のＡ−Ａ線断面図を示す。
【図６】図４に示す携帯電話機のＡ−Ａ線断面図において、携帯電話機側の構成のみを示した図である。
【図７】図４に示す携帯電話機のＡ−Ａ線断面図において、携帯電話機にアンテナと挿入するときの様子を示す。
【符号の説明】
【００３９】
１  ペン一体型ロッドアンテナ
２  筐体
３  ナット
４  基板
１０  タッチパネル
１１  アンテナヘッド
１２  つまみ部
１３  ねじ部
１４  ロッドアンテナ
１５  ペン本体部
１６  ペン先部
４１  接点
Ｈ  アンテナ収納部
【図１】
2008193446.tif 000003
【図２】
2008193446.tif 000004
【図３】
2008193446.tif 000005
【図４】
2008193446.tif 000006
【図５】
2008193446.tif 000007
【図６】
2008193446.tif 000008
【図７】
2008193446.tif 000009